(57)【要約】【課題】材質にかかわらず衝撃吸収効果を得ることができ、しかも外観をよくすることができるカウルトップガーニッシュを提供する。【解決手段】カウル部１を覆うカウルトップガーニッシュ２であって、上壁部１１と、上壁部１１の車両前方側Ｆｒの端部から下側のカウルパネル５に向かって延びる下壁部１２とを設け、下壁部１２の下端部に、被取り付けフランジ２０に載置固定される取り付けフランジ３０を形成し、ウエザストリップ１０を取り付ける取り付け部１３を下壁部１２の上側に配設し、衝撃力を受けると、取り付け部１３が下降するように下壁部１２を形成し、衝撃力で取り付けフランジ３０に亀裂を生じさせるための切り欠き１７を取り付けフランジ３０に形成してある。【選択図】図７
2010158940.tif 000002
【特許請求の範囲】
【請求項１】
車両前方側に開口するカウル部の開口を覆うカウルトップガーニッシュであって、
ウインドシールドの下端部とフロントフードの後端部との間の隙間を覆う上壁部と、
前記上壁部の車両前方側の端部から前記カウル部の下側のカウルパネルに向かって延びる下壁部とを設け、
前記下壁部の下端部に、前記下側のカウルパネルの被取り付けフランジに載置固定される取り付けフランジを形成し、
フロントフードの後端部の裏面に圧縮されるウエザストリップを取り付ける取り付け部を前記下壁部の上側に配設し、
前記フロントフードを介して衝撃力を受けると、前記取り付け部が下降するように前記下壁部を形成し、
前記衝撃力で前記取り付けフランジに亀裂を生じさせるための１又は２以上の切り欠きを前記取り付けフランジに形成してあるカウルトップガーニッシュ。
【請求項２】
前記下壁部の下端部を車両前方側に折曲して前記取り付けフランジを形成してある請求項１記載のカウルトップガーニッシュ。
【請求項３】
前記取り付けフランジに形成した上下方向に折曲する折曲部に前記切り欠きを形成してある請求項２記載のカウルトップガーニッシュ。
【請求項４】
前記折曲部を前記取り付けフランジの車幅方向の端部に形成してある請求項３記載のカウルトップガーニッシュ。
【請求項５】
前記下壁部を車両後方側ほど下側に位置するように傾斜させてある請求項１〜４のいずれか一つに記載のカウルトップガーニッシュ。
【発明の詳細な説明】
【技術分野】
【０００１】
本発明は、車両前方側に開口するカウル部の開口を覆うカウルトップガーニッシュに関する。
【背景技術】
【０００２】
交通事故の際には歩行者の頭部が自動車のフロントフードに当たることが多い。そのために、フロントフードとその周りの部材に衝撃吸収性能が要求されている。特に、フロントフードの車両後方側の端部のうち、カウルトップガーニッシュと重なる端部部分は歩行者の頭部が衝突しやすく、前記端部部分とカウルトップガーニッシュとに高い衝撃吸収性能が要求される。
この要求を満たすために、従来、特許文献１に開示されているように（特許文献１の「明細書」と「図面の図１〜図９」参照）、カウルトップ２のエンジンルーム側の縦壁５に車両前方側に凸の山形状の第１エネルギ吸収部１４を設け、カウルトップ２の上壁４に縦断面波形板状の第２エネルギ吸収部８を設けて、カウル部が上方から衝撃力を受けた時に前記山形状の第１エネルギ吸収部１４が縮み変形するとともに、前記縦断面波形板状の第２エネルギ吸収部８が伸び変形して衝撃を吸収するよう構成してあった。
【特許文献１】特開平５−８７６３号公報
【発明の開示】
【発明が解決しようとする課題】
【０００３】
しかしながら、上記従来の構造によれば、カウルトップが樹脂材料の場合、板金材料の場合と同様のエネルギ吸収効果を得るのが困難であった。
また、前記上壁４に設けた縦断面波形板状の第２エネルギ吸収部８が幅広になり、これを幅広のウエザストリップで覆わなければならず、外観が低下していた。
本発明は上記実状に鑑みて成されたもので、その目的は、材質にかかわらず衝撃吸収効果を得ることができ、しかも外観をよくすることができるカウルトップガーニッシュを提供する点にある。
【課題を解決するための手段】
【０００４】
本発明の特徴は、
車両前方側に開口するカウル部の開口を覆うカウルトップガーニッシュであって、
ウインドシールドの下端部とフロントフードの後端部との間の隙間を覆う上壁部と、
前記上壁部の車両前方側の端部から前記カウル部の下側のカウルパネルに向かって延びる下壁部とを設け、
前記下壁部の下端部に、前記下側のカウルパネルの被取り付けフランジに載置固定される取り付けフランジを形成し、
フロントフードの後端部の裏面に圧縮されるウエザストリップを取り付ける取り付け部を前記下壁部の上側に配設し、
前記フロントフードを介して衝撃力を受けると、前記取り付け部が下降するように前記下壁部を形成し、
前記衝撃力で前記取り付けフランジに亀裂を生じさせるための１又は２以上の切り欠きを前記取り付けフランジに形成してある点にある。（請求項１）
【０００５】
上記の構成によれば、フロントフードを介して衝撃力を受けると、前記取り付け部が下降して衝撃のエネルギーを吸収する。そして、切り欠きに応力が集中して亀裂の起点となり、取り付けフランジに亀裂が生じる。
例えば、前記取り付け部が下降したカウルトップガーニッシュが変形しきって取り付けフランジが被取り付けフランジに対して突っ張った状態になると衝撃のエネルギーを吸収するのが困難になる。これに対して、本発明の上記構成によれば、前記衝撃力で取り付けフランジに亀裂が生じるので、取付けフランジを破壊・変形させやすくすることができる。その結果、取り付けフランジが被取り付けフランジに対して突っ張った状態になるのを回避することができ、フロントフードの変位量を増加させて、引き続き衝撃のエネルギーを吸収することができる。
【０００６】
上記のように下壁部で前記衝撃力を吸収する。この下壁部は車外から見えにくいから、衝撃力を吸収するための構造を採用したことで見栄えが低下することを回避することができる。そして、前記亀裂の発生部位はフロントフードに覆われていることから、亀裂のエッジが歩行者に接触することを防止することができる。また、上記の構成によれば、カウルトップガーニッシュの材質にかかわらず衝撃吸収効果を得ることができる。（請求項１）
【０００７】
本発明において、
前記下壁部の下端部を車両前方側に折曲して前記取り付けフランジを形成してあると、取り付けフランジを簡単に形成することができるとともに、下壁部が車両後方側に長くなるのを回避することができる。（請求項２）
【０００８】
本発明において、
前記取り付けフランジに形成した上下方向に折曲する折曲部に前記切り欠きを形成してあると、次の作用を奏することができる。（請求項３）
【０００９】
前記切り欠きは、他の取り付けフランジ部分に比べて剛性が高い折曲部に形成してあるので、取り付けフランジの剛性をより低下させることができ、取り付けフランジに亀裂を早期に生じさせることができる。（請求項３）
【００１０】
本発明において、
前記折曲部を前記取り付けフランジの車幅方向の端部に形成してあると、次の作用を奏することができる。（請求項４）
【００１１】
カウルトップガーニッシュの取り付けフランジは車幅方向の端部が上方に傾斜していることが多いことから、新たに折曲部を形成することなく、既設の折曲部に前記切り欠きを形成することで、製作コストを低廉化することができる。（請求項４）
【００１２】
本発明において、
前記下壁部を車両後方側ほど下側に位置するように傾斜させてあると、次の作用を奏することができる。（請求項５）
【００１３】
フロントフードに衝撃力が加わった場合、フロントフードを介してカウルトップガーニッシュに下向きの外力が加わる。この外力で下壁部を前記被取り付けフランジと取り付けフランジとの当接部の周りに前下方に揺動下降させて衝撃のエネルギーを吸収することができる。（請求項５）
【発明の効果】
【００１４】
本発明によれば、
材質にかかわらず衝撃吸収効果を得ることができ、しかも外観をよくすることができるカウルトップガーニッシュを提供することができた。
【発明を実施するための最良の形態】
【００１５】
以下、本発明を実施するための最良の形態を図面に基づいて説明する。
図１〜図３に、車両前方側Ｆｒに開口した縦断面コの字状のカウル部１（図５参照）を覆う樹脂製のカウルトップガーニッシュ２を備えた自動車を示してある。
【００１６】
前記カウル部１は、図４に示すように、車幅方向に離間した左右一対のサイドカウルパネル３の間に、アッパカウルパネル４とロアカウルパネル５（下側のカウルパネルに相当）とを架け渡して枠体を形成し、この枠体の後端縁を、エンジンルームと車内を仕切るダッシュパネル６の上側前面に溶接接合して形成してある。
【００１７】
そして図５，図６に示すように、カウルトップガーニッシュ２でカウル部１の開口１Ｋを車両前方側Ｆｒから覆って、前記アッパカウルパネル４とロアカウルパネル５とダッシュパネル６とカウルトップガーニッシュ２で閉じ断面を形成している。カウルトップガーニッシュ２は、外気の導入口となる複数のスリット２９を備え（図４参照）、カウル部１に配設されたワイパー７の根元を覆っている。
【００１８】
［カウルトップガーニッシュ２の構造］
カウルトップガーニッシュ２は、ウインドシールド８の下端部８Ｋとフロントフード９の後端部９Ｋとの間の隙間を覆う上壁部１１と、上壁部１１の車両前方側Ｆｒの端部から前記カウル部１のロアカウルパネル５に向かって延びる下壁部１２とを備えている。上壁部１１の車外側の面は意匠面になっている。下壁部１２の下端部には、ロアカウルパネル５の車両前方側Ｆｒの被取り付けフランジ２０に載置固定される取り付けフランジ３０を形成してある。そして、フロントフード９の後端部９Ｋの裏面に圧縮されるウエザストリップ１０を取り付ける取り付け部１３を下壁部１２の上側に配設してある。
【００１９】
前記上壁部１１は、下側に凸の「く」の字状に折曲した第１上壁部分１４と、この第１上壁部分１４の車両前方側Ｆｒの端部から下方に延びる第２上壁部分１５とを備え、第１上壁部分１４の後ろ上がりの後端部がウインドシールド８の下端部８Ｋに車両前方側Ｆｒから当接している。
【００２０】
前記取り付けフランジ３０は、下壁部１２の下端部を車両前方側Ｆｒに折曲して形成してある。また、取り付けフランジ３０の前端部を下方に折曲して下向きのフランジ１６を形成し、この下向きのフランジ１６でロアカウルパネル５の被取り付けフランジ２０の前端縁を車両前方側Ｆｒから受け止め可能に構成してある。取り付けフランジ３０はカウルトップガーニッシュ２の全幅にわたる長さに設定され、間隔を空けて位置する複数のクリップでロアカウルパネル５の被取り付けフランジ２０に上側から取り付け固定されている。
【００２１】
前記ウエザストリップ１０は下側開放のＵ字状の取付基部１０Ａと、この取付基部１０Ａの上端部に連なる円筒状の中空シール部１０Ｂとから成り、カウルトップガーニッシュ２の全幅にわたる長さにゴム状弾性体で形成されて、エンジンルームへの雨水の浸入を阻止している。前記取り付け部１３は第２上壁部分１５の下端部から前斜め上方に突出し、カウルトップガーニッシュ２の全幅にわたる長さに設定されている。そして、この取り付け部１３にウエザストリップ１０の取付基部１０Ａを外嵌してある。
【００２２】
ところで、交通事故の際には歩行者の頭部がフロントフード９に当たることが多いことから、フロントフード９とその周りの部材に衝撃吸収性能が要求されている。特に、フロントフード９の車両後方側の端部のうち、カウルトップガーニッシュ２と重なる端部部分は歩行者の頭部が衝突しやすく、前記端部部分とカウルトップガーニッシュ２とに高い衝撃吸収性能が要求される。そこで、この要求を満たすために前記カウルトップガーニッシュ２を次のように構成してある。
【００２３】
図５〜図７に示すように、フロントフード９を介してカウルトップガーニッシュ２が歩行者の頭部などから衝撃力を受けると、前記取り付け部１３が下降するように前記下壁部１２を形成してある。詳しくは、前記下壁部１２を車両後方側ほど下側に位置するように傾斜させ、カウルトップガーニッシュ２が前記衝撃力を受けると、下壁部１２が前記被取り付けフランジ２０と取り付けフランジ３０との当接部の周りに前下方に揺動下降するよう構成してある。下壁部１２は上下方向（斜め上下方向）の中間部の複数個所（２個所）で車両前後方向に屈曲している。
さらに図６に示すように、前記衝撃力で前記取り付けフランジ３０に亀裂を生じさせるための複数（１個であってもよい）の切り欠き１７を取り付けフランジ３０に形成して、衝撃のエネルギーを吸収するように構成してある。つまり、カウルトップガーニッシュ２が衝撃力を受けると切り欠き１７のコーナー部などに応力が集中して亀裂の起点となり、取り付けフランジ３０に亀裂が生じるようにしてある。
【００２４】
前記切り欠き１７は、取り付けフランジ３０の車幅方向の端部に形成した上下方向に折曲する複数の折曲部１８に形成されている（取り付けフランジ３０の車幅方向の端部以外の中間部に形成した上下方向に折曲する折曲部１８に前記切り欠き１７が形成されていてもよい）。前記複数の切り欠き１７のうち最も車幅方向外方側に位置する切り欠き１７は、車両前方側Ｆｒが開放の半円形状に形成され、残りの切り欠き１７は車両前方側Ｆｒが開放のコの字状に形成されている。
【００２５】
カウルトップガーニッシュ２の前記取り付けフランジ３０は車幅方向の端部が上方に傾斜していることが多いことから、新たに折曲部１８を形成することなく、既設の折曲部１８に前記切り欠き１７を形成することで、製作コストを低廉化することができる。
本実施形態の切り欠き１７を形成した折曲部１８も既設の折曲部（切り欠き１７を形成するために新たに形成した折曲部１８ではなく元々設けてあった折曲部）である。前記切り欠き１７は車両前方側Ｆｒが開放の三角形状や、その他の形状に形成されていてもよい。
【００２６】
上記のように、ウエザストリップ１０の取り付け部１３よりも下方の下壁部１２を衝撃吸収部に構成してある。この構成により、図７に示すように、フロントフード９に歩行者の頭部などが衝突して衝撃力が加わった場合、フロントフード９を介してカウルトップガーニッシュ２に下向きの外力が加わる。
そして、前記被取り付けフランジ２０と取り付けフランジ３０との当接部が下降しながら下壁部１２が前記当接部の周りに前下方に揺動下降し、取り付け部１３が下降して衝撃のエネルギーを吸収する。さらに、切り欠き１７のコーナー部などに応力が集中して亀裂の起点となり、取り付けフランジ３０に亀裂が生じる。
例えば、前記取り付け部１３が下降しカウルトップガーニッシュ２が変形しきって取り付けフランジ３０が被取り付けフランジ２０に対して突っ張った状態になると衝撃のエネルギーを吸収するのが困難になる。これに対して、本発明の上記構成によれば、前記衝撃力で取り付けフランジ３０に亀裂が生じるので、取付けフランジ３０を破壊・変形させやすくすることができる。その結果、取り付けフランジ３０が被取り付けフランジ２０に対して突っ張った状態になるのを回避することができ、フロントフード９の変位量を増加させて、引き続き衝撃のエネルギーを吸収することができる。
【００２７】
上記のように前記衝撃力を下壁部１２で吸収する。この下壁部１２は車外から見えにくいから、衝撃力を吸収するための構造を採用したことで見栄えが低下することを回避することができる。また、上記の構成によれば、カウルトップガーニッシュ２の材質にかかわらず衝撃吸収効果を得ることができる。
【００２８】
前記切り欠き１７は、他の取り付けフランジ部分に比べて剛性が高い折曲部１８に形成してあるので、取り付けフランジ３０の剛性をより低下させることができ、取り付けフランジ３０に亀裂を早期に生じさせることができる。前記亀裂の発生部位はフロントフード９に覆われていることから、亀裂のエッジが歩行者に接触することを防止することができる。
【００２９】
前記取り付けフランジ３０は、車両後方側ほど下側に位置するように傾斜させた下壁部１２の下端部を車両前方側Ｆｒに折曲して形成してあることから、カウルトップガーニッシュ２が占める車両前後方向のスペースが大きくなることを極力抑制することができ、狭いスペースで高い衝撃吸収性能を得ることができる。
【００３０】
図８に、本発明の上記構造のカウルトップガーニッシュ２と、前記切り欠き１７を備えていないカウルトップガーニッシュ２（以下、「比較例のカウルトップガーニッシュ２」）とを比較した衝撃試験（歩行者の頭部の大きさの球形状のインパクター５０（図７参照）をフロントフード９の後端部９Ｋに衝突させる試験）の結果を示してある。縦軸はインパクター５０の加速度を示し、横軸はインパクター５０の変位量を示す。
【００３１】
図８中のＴ１までの初期荷重に対しては、本発明のカウルトップガーニッシュ２（実線で示す）と比較例のカウルトップガーニッシュ２（一点鎖線で示す）のいずれもほぼ一致した値を示すが、衝撃吸収部（下壁部１２）での変形がピークとなるＴ１を越えると、比較例のカウルトップガーニッシュ２では、ロアカウルパネル５の被取り付けフランジ２０に当接する取り付けフランジ３０の剛性が高くて変形しにくいために、インパクター５０に加わる衝撃荷重が急激に大きくなっている。
【００３２】
これに対して、本発明のカウルトップガーニッシュ２では、取り付けフランジ３０に切り欠き１７を設けたことにより、前記Ｔ１の後も取り付けフランジ３０が容易に撓み続け、下壁部１２をさらに変形させることができ、インパクター５０に加わる衝撃荷重の急激な上昇を抑制することができている。
これにより、荷重が上昇する前に、早期に取り付けフランジ３０に亀裂を生じさせることができ、衝突の全過程において衝撃力が強くなるのを抑制して歩行者の頭部を保護することができる。
【図面の簡単な説明】
【００３３】
【図１】自動車の斜視図
【図２】フロントフードを開放した状態でのカウルトップガーニッシュの装着状態を示す斜視図
【図３】車体とカウルトップガーニッシュとウエザストリップの分解斜視図
【図４】カウルトップガーニッシュを取り付けるカウル部の構成を示す分解斜視図
【図５】図６のＡ−Ａ断面図
【図６】カウルトップガーニッシュの拡大斜視図
【図７】カウルトップガーニッシュの作用を示す断面図であり、図６のＡ−Ａ断面に対応する図
【図８】本発明のカウルトップガーニッシュと比較例のカウルトップガーニッシュの性能を比較した衝撃試験の結果を示す図
【符号の説明】
【００３４】
１            カウル部
１Ｋ          開口
５            下側のカウルパネル（ロアカウルパネル）
８            ウインドシールド
８Ｋ          ウインドシールドの下端部
９            フロントフード
９Ｋ          フロントフードの後端部
１０          ウエザストリップ
１１          上壁部
１２          下壁部
１３          取り付け部
１７          切り欠き
１８          折曲部
２０          被取り付けフランジ
３０          取り付けフランジ
Ｆｒ          車両前方側
【図１】
2010158940.tif 000003
【図２】
2010158940.tif 000004
【図３】
2010158940.tif 000005
【図４】
2010158940.tif 000006
【図５】
2010158940.tif 000007
【図６】
2010158940.tif 000008
【図７】
2010158940.tif 000009
【図８】
2010158940.tif 000010